【手続補正書】
【提出日】平成28年8月17日(2016.8.17)
【手続補正１】
【補正対象書類名】特許請求の範囲
【補正対象項目名】全文
【補正方法】変更
【補正の内容】
【特許請求の範囲】
【請求項１】
少なくとも、画像形成装置、第１の上位装置及び第２の上位装置を有する画像形成システムであって、
前記第１の上位装置は、
前記画像形成装置に、前記画像形成装置の状態を示すステータス情報を送信させるステータス情報送信指示を送信するとともに、前記画像形成装置からの前記ステータス情報を受信する第１の通信部と、
前記ステータス情報に基づいて、前記画像形成装置を、前記第１の上位装置から指示された画像形成のみを実行可能であって、前記第２の上位装置からの指示によって画像形成を行わない第１の状態にするための第１の指示の送信を許可するか否かを判断する判断部と、を備え、
前記第１の通信部は、前記判断部の判断結果を受けて、前記第１の指示を前記画像形成装置へ送信し、
前記画像形成装置は、
前記ステータス情報送信指示に応じて、前記ステータス情報を送信する第２の通信部と、
前記第１の指示に応じて、前記画像形成装置の状態を前記第１の状態に遷移する制御部と、を備えること
を特徴とする画像形成システム。
【請求項２】
前記第１の通信部は、前記画像形成装置を、前記第１の上位装置及び前記第２の上位装置から指示された画像形成を実行可能な第２の状態にするための第２の指示を送信し、
前記制御部は、前記第２の指示に応じて、前記画像形成装置の状態を前記第１の状態から前記第２の状態に遷移させ、
前記判断部は、前記ステータス情報が、前記画像形成装置が前記第２の上位装置から指示された画像形成のみを実行可能であって、前記第１の上位装置からの指示によって画像形成を行わない第３の状態であることを示していない場合に、前記第１の指示の送信を許可すること
を特徴とする請求項１に記載の画像形成システム。
【請求項３】
前記判断部は、前記ステータス情報が、前記画像形成装置が前記第３の状態であることを示しておらず、かつ、前記画像形成装置が画像形成可能状態であると判断した場合に、前記第１の指示を送ることを許可すること
を特徴とする請求項２に記載の画像形成システム。
【請求項４】
前記第１の上位装置は、
前記画像形成装置で実行される画像形成を監視する画像形成監視状態を前記第１の上位装置に設定する印刷監視設定部と、
前記画像形成監視状態の設定を解除する画像形成監視設定解除部と、をさらに有し、
前記画像形成監視状態が設定されている場合には、前記第１の通信部は、前記画像形成装置へ前記ステータス情報送信指示を定期的に送信すること
を特徴とする請求項２又は３に記載の画像形成システム。
【請求項５】
前記第１の通信部は、前記画像形成監視状態が設定されている場合には、前記第１の指示を前記画像形成装置に送信しないこと
を特徴とする請求項４に記載の画像形成システム。
【請求項６】
前記第１の通信部は、前記画像形成監視状態が設定されている場合には、前記第２の指示を前記画像形成装置には送信せず、前記画像形成監視状態の設定が解除された後に前記第２の指示を前記画像形成装置に送信すること
を特徴とする請求項４又は５に記載の画像形成システム。
【請求項７】
前記第１の上位装置は、前記ステータス情報に基づいて、前記画像形成装置の状態を表示する表示部をさらに有すること
を特徴とする請求項１から６の何れか一項に記載の画像形成システム。
【請求項８】
前記第１の上位装置は、
前記ステータス情報に基づいて、前記画像形成装置の状態を表示する表示部と、
前記表示部が表示した前記ステータス情報を保持するステータス表示保持部と、をさらに有し、
前記画像形成監視状態であり、かつ、前記ステータス表示保持部に前記ステータス情報が保持されていない場合には、前記表示部は、ステータス情報の取得に失敗した旨を表示すること
を特徴とする請求項４から６の何れか一項に記載の画像形成システム。
【請求項９】
前記第１の上位装置は、画像形成ジョブを生成する画像形成ジョブ処理部をさらに備え、
前記第１の通信部は、前記画像形成ジョブを前記画像形成装置に送信すること
を特徴とする請求項１から８の何れか一項に記載の画像形成システム。
【請求項１０】
前記画像形成装置は、前記画像形成ジョブに基づいて画像形成を実行する印刷部、をさらに備えること
を特徴とする請求項９に記載の画像形成システム。
【請求項１１】
少なくとも、画像形成装置、第１の上位装置及び第２の上位装置を有する画像形成システムが行う画像形成方法であって、
前記第１の上位装置が、前記画像形成装置に、前記画像形成装置の状態を示すステータス情報を送信させるステータス情報送信指示を送信するステップと、
前記画像形成装置が、前記ステータス情報送信指示に応じて、前記ステータス情報を送信するステップと、
前記第１の上位装置が、前記ステータス情報に基づいて、前記画像形成装置を、前記第１の上位装置から指示された画像形成のみを実行可能であって、前記第２の上位装置からの指示によって画像形成を行わない第１の状態にするための第１の指示の送信を許可するか否かを判断するステップと、
前記第１の上位装置が、前記判断結果を受けて、前記第１の指示を前記画像形成装置へ送信するステップと、
前記画像形成装置が、前記第１の指示に応じて、前記画像形成装置の状態を前記第１の状態に遷移するステップと、を有すること
を特徴とする画像形成方法。
【請求項１２】
前記第１の上位装置が、前記画像形成装置を、前記第１の上位装置及び前記第２の上位装置から指示された画像形成を実行可能な第２の状態にするための第２の指示を送信するステップと、
前記画像形成装置が、前記第２の指示に応じて、前記画像形成装置の状態を前記第１の状態から前記第２の状態に遷移するステップと、をさらに有し、
前記第１の指示の送信を許可するか否かを判断するステップでは、前記ステータス情報が、前記画像形成装置が前記第２の上位装置から指示された画像形成のみを実行可能であって、前記第１の上位装置からの指示によって画像形成を行わない第３の状態であることを示していない場合に、前記第１の指示の送信を許可すること
を特徴とする請求項１１に記載の画像形成方法。
【手続補正２】
【補正対象書類名】明細書
【補正対象項目名】０００６
【補正方法】変更
【補正の内容】
【０００６】
本発明の一態様に係る画像形成システムは、少なくとも、画像形成装置、第１の上位装置及び第２の上位装置を有する画像形成システムであって、前記第１の上位装置は、前記画像形成装置に、前記画像形成装置の状態を示すステータス情報を送信させるステータス情報送信指示を送信するとともに、前記画像形成装置からの前記ステータス情報を受信する第１の通信部と、前記ステータス情報に基づいて、前記画像形成装置を、前記第１の上位装置から指示された画像形成のみを実行可能であって、前記第２の上位装置からの指示によって画像形成を行わない第１の状態にするための第１の指示の送信を許可するか否かを判断する判断部と、を備え、前記第１の通信部は、前記判断部の判断結果を受けて、前記第１の指示を前記画像形成装置へ送信し、前記画像形成装置は、前記ステータス情報送信指示に応じて、前記ステータス情報を送信する第２の通信部と、前記第１の指示に応じて、前記画像形成装置の状態を前記第１の状態に遷移する制御部と、を備えることを特徴とする。
【手続補正３】
【補正対象書類名】明細書
【補正対象項目名】０００７
【補正方法】変更
【補正の内容】
【０００７】
本発明の一態様に係る画像形成方法は、少なくとも、画像形成装置、第１の上位装置及び第２の上位装置を有する画像形成システムが行う画像形成方法であって、前記第１の上位装置が、前記画像形成装置に、前記画像形成装置の状態を示すステータス情報を送信させるステータス情報送信指示を送信するステップと、前記画像形成装置が、前記ステータス情報送信指示に応じて、前記ステータス情報を送信するステップと、前記第１の上位装置が、前記ステータス情報に基づいて、前記画像形成装置を、前記第１の上位装置から指示された画像形成のみを実行可能であって、前記第２の上位装置からの指示によって画像形成を行わない第１の状態にするための第１の指示の送信を許可するか否かを判断するステップと、前記第１の上位装置が、前記判断結果を受けて、前記第１の指示を前記画像形成装置へ送信するステップと、前記画像形成装置が、前記第１の指示に応じて、前記画像形成装置の状態を前記第１の状態に遷移するステップと、を有することを特徴とする。